(57)【要約】ＩＰトラッフィクを同様に搬送しているネットワークを介して、家庭において、放送品質映像（又は同様なタイミング依存データ）を配信するための方法及び装置は、非ＩＰ映像トラッフィクをＩＰトラッフィクと連続的に統合する。本発明は、例えば、ＭＰＥＧタイプのトラッフィク等のタイミング依存トラッフィクとＩＰトラッフィク双方との混合トラッフィクのネットワークを生成するための方法及び装置を提供する。本方法は、メディアアクセス制御（ＭＡＣ）層にタイミング依存データを直接送信し、メディアアクセス制御に１つ以上の特有の機能を追加してタイミング依存データのタイミング制約を維持する。タイミング依存データは、ＭＰＥＧ映像データストリームを含むことができ、従って、１つ以上の特有の機能は、１つ以上のＭＰＥＧ特有の機能である。ＭＰＥＧ映像データ、又は同時映像データを含む１３９４トラッフィク等の、タイミング依存データを送信するための方法の実施例には、ＭＡＣ層にタイミング依存データを直接送信する段階と、スケジューラに対するＭＡＣ層全体におけるタイミング依存データのタイミング関係を維持する段階と、単一のスケジューラを用いて、タイミング依存データ及びインターネット・プロトコル・トラッフィク双方の送信をスケジュール化する段階と、が含まれる。
2005535238.tif 000002
【特許請求の範囲】
【請求項１】
インターネット・プロトコル・トラッフィクを同様に搬送しているネットワークを介して、タイミング依存データを送信するための方法であって、
メディアアクセス制御層にタイミング依存データを直接送信する段階と、
スケジューラに対するメディアアクセス制御層全体におけるタイミング依存データのタイミング関係を維持する段階と、
単一のスケジューラにおいて、タイミング依存データ及びインターネット・プロトコル・トラッフィクの送信をスケジュール化する段階と、
が含まれる方法。
【請求項２】
請求項１に記載の方法であって、タイミング依存データには、ＭＰＥＧ映像データストリームが含まれる方法。
【請求項３】
請求項１に記載の方法であって、タイミング依存データには、同時映像データを含む１３９４トラッフィクが含まれる方法。
【請求項４】
第１ネットワークからタイミング依存データを受信し、１つ以上の他のネットワークを介して、１つ以上のクライアントデバイスにタイミング依存データを送信する装置であって、
第１ネットワークに接続され、タイミング依存データを受信し、タイミング依存データのタイミング関係を維持し、１つ以上の他のネットワークを介したタイミング依存データの送信をスケジュール化する映像ブリッジが含まれる装置。
【請求項５】
請求項４に記載の装置であって、映像ブリッジには、
タイミング依存データを出力するＭＡＣ受信機と、
１つ以上のクライアントデバイスのそれぞれに対して１つ以上のＭＡＣ送信機であって、各ＭＡＣ送信機はＭＡＣ受信機に接続されてタイミング依存データを受信し、また、１つ以上の他のネットワークを介した送信に適したフォーマットにタイミング依存データを変換する前記ＭＡＣ送信機と、
が含まれる装置。
【請求項６】
請求項５に記載の装置であって、映像ブリッジには更に、
第１ネットワークに接続し、ＭＡＣ受信機に接続された第１物理層インターフェイスと、
１つ以上の第２物理層インターフェイスであって、各第２物理層インターフェイスは１つ以上のＭＡＣ送信機の１つに接続され、１つ以上の他のネットワークの１つに接続することと、
が含まれる装置。
【請求項７】
請求項５に記載の装置であって、１つ以上の各ＭＡＣ送信機には、
あらゆるフィルタ処理に起因するタイミングを調整し、また、追加タイミング情報を追加して１つ以上の他のネットワークの１つによってもたらされた待ち時間及びジッタを調整するタイミング回路と、
タイミング回路に接続されて、１つ以上の他のネットワークの１つの要求事項を満足するパケット又はフレームを生成するパケット組立器と、
パケット組立器に接続され、１つ以上の他のネットワークの１つへのアクセスをスケジュール化するスケジューラと、
が含まれる装置。
【請求項８】
請求項７に記載の装置であって、１つ以上の各ＭＡＣ送信機には、更に、
タイミング依存データを受信し、また、１つ以上のクライアントデバイスの１つによって要求されない番組をフィルタ処理するＰＩＤフィルタであって、フィルタ処理済みタイミング依存データをタイミング回路に出力する前記ＰＩＤフィルタと、
スケジューラに接続され、１つ以上の他のネットワークの１つを介した送信の前に、パケット又はフレームをバッファ処理する待ち行列と、
が含まれる装置。
【請求項９】
請求項５に記載の装置であって、更に、
１つ以上の各クライアントデバイスに対して１つ以上の追加ＭＡＣ受信機であって、１つ以上の各追加ＭＡＣ受信機は、１つ以上の他のネットワークの１つと１つ以上のクライアントデバイスの１つとの間に配置される前記追加ＭＡＣ受信機が含まれ、１つ以上の各追加ＭＡＣ受信機には、
着信パケットをタイミング依存データに適したフォーマットに変換するパケット分解器と、
パケット分解器に接続され、１つ以上のＭＡＣ送信機のタイミング回路によって付加されたビットに基づき、タイミング依存データを回復するタイミング回路と、
パケット分解器に接続され、１つ以上の他のネットワークの１つからの着信パケットをバッファ処理した後、着信パケットをパケット分解器に受け渡す待ち行列と、
が含まれる装置。
【請求項１０】
請求項４に記載の装置であって、１つ以上のクライアントデバイスには、少なくとも２つのクライアントデバイスが含まれ、映像ブリッジは、少なくとも２つの各クライアントデバイスにタイミング依存データの同じコピーを送信する装置。
【請求項１１】
１つ以上のクライアントデバイスに対して、１つ以上の他のネットワークを介して、第１ネットワークからの第１タイミング依存データ及び第２ネットワークからの第２タイミング依存データを送信するための装置であって、
第１及び第２ネットワークに接続され、第１及び第２ネットワークから第１及び第２タイミング依存データを受信し、第１及び第２タイミング依存データのタイミング関係を維持し、１つ以上の各クライアントデバイスに対する１つ以上の他のネットワークを介したタイミング依存データの送信をスケジュール化する映像ブリッジが含まれる装置。
【請求項１２】
請求項１１に記載の装置であって、映像ブリッジには、
第１タイミング依存データを出力する第１ＭＡＣ受信機と、
第２タイミング依存データを出力する第２ＭＡＣ受信機と、
第１及び第２ＭＡＣ受信機に接続され、第１及び第２タイミング依存データから単一データストリームを生成するマルチプレクサと、
マルチプレクサに接続され、１つ以上の各クライアントデバイスに対して１つ以上のＭＡＣ送信機であって、１つ以上の各ＭＡＣ送信機は、第１及び第２タイミング依存データが含まれる単一データストリームを受信し、第１及び第２タイミング依存データを１つ以上の他のネットワークを介した送信に適したフォーマットに変換し、前記１つ以上の各クライアントデバイスによって選択されなかった番組をフィルタ処理する前記ＭＡＣ送信機と、
が含まれる装置。
【請求項１３】
請求項１２に記載の装置であって、映像ブリッジには、更に、
第１ネットワークに接続し、第１ＭＡＣ受信機に接続された第１物理層インターフェイスと、
第２ネットワークに接続し、第２ＭＡＣ受信機に接続された第２物理層インターフェイ
スと、
１つ以上の他の物理層インターフェイスであって、各々１つ以上のＭＡＣ送信機の１つに接続され、また、各々１つ以上の他のネットワークの１つに接続される前記他の物理層インターフェイスと、
が含まれる装置。
【請求項１４】
請求項１２に記載の装置であって、１つ以上の各ＭＡＣ送信機には、
あらゆるフィルタ処理に起因するタイミングを調整し、また、追加タイミング情報を追加して１つ以上の他のネットワークの１つによってもたらされた待ち時間及びジッタを調整するタイミング回路と、
タイミング回路に接続され、１つ以上の他のネットワークの１つの要求事項を満足するパケット又はフレームを生成するパケット組立器と、
パケット組立器に接続され、１つ以上の他のネットワークの１つへのアクセスをスケジュール化するスケジューラと、
が含まれる装置。
【請求項１５】
請求項１４に記載の装置であって、１つ以上の各ＭＡＣ送信機には、更に、
単一データストリームを受信し、また、１つ以上の他のネットワークの１つを介して、前記各ＭＡＣ送信機が接続される１つ以上のクライアントデバイスの１つによって要求されない番組をフィルタ処理するＰＩＤフィルタであって、フィルタ処理済み単一データストリームをタイミング回路に出力する前記ＰＩＤフィルタと、
スケジューラに接続され、１つ以上の他のネットワークの前記１つを介した送信の前にパケット又はフレームをバッファ処理する待ち行列と、
が含まれる装置。
【請求項１６】
請求項１１に記載の装置であって、更に、１つ以上の各クライアントデバイスに対して１つ以上の追加ＭＡＣ受信機であって、１つ以上の各追加ＭＡＣ受信機は、１つ以上の他のネットワークの１つと１つ以上のクライアントデバイスの１つとの間に配置される前記ＭＡＣ受信機が含まれ、１つ以上の各追加ＭＡＣ受信機には、
着信パケットを第１及び第２タイミング依存データに適したフォーマットに変換するパケット分解器と、
１つ以上のＭＡＣ送信機の１つによって付加されたビットに基づき、第１及び第２タイミング依存データを回復するタイミング回路と、
パケット分解器に接続され、１つ以上の他のネットワークからの着信パケットをバッファ処理した後、着信パケットをパケット分解器に受け渡す待ち行列と、
が含まれる装置。
【請求項１７】
請求項１１に記載の装置であって、映像ブリッジには、
第１タイミング依存データを出力する第１ＭＡＣ受信機と、
第２タイミング依存データを出力する第２ＭＡＣ受信機と、
１つ以上の各クライアントデバイスに対して１つ以上のＭＡＣ送信機であって、１つ以上の各ＭＡＣ送信機は、第１タイミング依存データ及び第２タイミング依存データを受信し、第１及び第２タイミング依存データを１つ以上の他のネットワークを介した送信に適したフォーマットに変換し、前記１つ以上の各クライアントデバイスによって選択されなかった番組をフィルタ処理する前記ＭＡＣ送信機と、
が含まれる装置。
【請求項１８】
請求項１７に記載の装置であって、映像ブリッジには、更に、
第１ネットワークに接続し、第１ＭＡＣ受信機に接続された第１物理層インターフェイスと、
第２ネットワークに接続し、第２ＭＡＣ受信機に接続された第２物理層インターフェイスと、
１つ以上の各ＭＡＣ送信機に対して１つ以上の他の物理層インターフェイスであって、各々１つ以上のＭＡＣ送信機の１つに接続され、また、各々１つ以上の他のネットワークの１つに接続される前記物理層インターフェイスと、
が含まれる装置。
【請求項１９】
請求項１７に記載の装置であって、１つ以上の各ＭＡＣ送信機には、
あらゆるフィルタ処理に起因するタイミングを調整し、また、追加タイミング情報を追加して１つ以上の他のネットワークの１つによってもたらされた待ち時間及びジッタを調整する第１タイミング回路と、
あらゆるフィルタ処理に起因するタイミングを調整し、また、追加タイミング情報を追加して１つ以上の他のネットワークの１つによってもたらされた待ち時間及びジッタを調整する第２タイミング回路と、
第１タイミング回路に接続され、１つ以上の他のネットワークの１つの要求事項を満足するパケット又はフレームを生成する第１パケット組立器と、
第２タイミング回路に接続され、１つ以上の他のネットワークの１つの要求事項を満足するパケット又はフレームを生成する第２パケット組立器と、
前記各第１及び第２パケット組立器に接続され、１つ以上の他のネットワークの前記１つへのアクセスをスケジュール化するスケジューラと、
が含まれる装置。
【請求項２０】
請求項１９に記載の装置であって、１つ以上の各ＭＡＣ送信機には、更に、
第１タイミング依存データを受信し、また、１つ以上の他のネットワークの１つを介して前記１つ以上の各ＭＡＣ送信機が接続される１つ以上のクライアントデバイスの１つによって要求されない第１タイミング依存データの番組をフィルタ処理する第１ＰＩＤフィルタであって、フィルタ処理済み第１タイミング依存データを第１タイミング回路に出力する前記第１ＰＩＤフィルタと、
第２タイミング依存データを受信し、また、１つ以上の他のネットワークの１つを介して前記１つ以上の各ＭＡＣ送信機が接続される１つ以上のクライアントデバイスの１つによって要求されない第２タイミング依存データの番組をフィルタ処理する第２ＰＩＤフィルタであって、フィルタ処理済み第２タイミング依存データを第２タイミング回路に出力する前記第２ＰＩＤフィルタと、
スケジューラに接続され、１つ以上の他のネットワークの１つを介した送信の前にパケット又はフレームをバッファ処理する待ち行列と、
が含まれる装置。
【請求項２１】
１つ以上のクライアントデバイスに対して、１つ以上の他のネットワークを介して、第１ネットワークからのタイミング依存データを送信するための装置であって、
第１ネットワークに接続され、タイミング依存データを受信し、タイミング依存データのタイミング関係を維持し、１つ以上の他のネットワークを介したタイミング依存データの送信をスケジュール化し、テレビ信号を出力する映像ブリッジと、
映像ブリッジに接続され、映像ブリッジからテレビ信号を受信するテレビと、
が含まれる装置。
【請求項２２】
請求項２１に記載の装置であって、映像ブリッジには、
タイミング依存データを出力するＭＡＣ受信機と、
ＭＡＣ受信機及びテレビに接続され、タイミング依存データをテレビ信号に変換するデコーダと、
タイミング依存データを受信し、タイミング依存データをネットワークを介した送信に
適したフォーマットに変換するＭＡＣ送信機と、
が含まれる装置。
【請求項２３】
１つ以上のクライアントデバイスに対して、１つ以上の他のネットワークを介して、インターネット・プロトコル・パケットと共に第１ネットワークからのタイミング依存データを送信するための装置であって、
インターネットプロトコルデータパケットを出力するプロセッサと、
第１ネットワーク及びプロセッサに接続され、タイミング依存データを受信し、タイミング依存データのタイミング関係を維持し、１つ以上の他のネットワークを介した１つ以上のクライアントデバイスに対するタイミング依存データ並びにインターネット・プロトコル・パケットの送信をスケジュール化する映像ブリッジと、
が含まれる装置。
【請求項２４】
請求項２３に記載の装置であって、映像ブリッジには、
タイミング依存データを出力するＭＡＣ受信機と、
１つ以上の各クライアントデバイスに対して１つ以上のＭＡＣ送信機であって、各ＭＡＣ送信機は、タイミング依存データを受信し、また、１つ以上の他のネットワークを介した送信に適したフォーマットにタイミング依存データを変換し、プロセッサに接続されインターネット・プロトコル・パケットを受信するデータポートを有する前記ＭＡＣ送信機と、
が含まれる装置。
【請求項２５】
請求項２４に記載の装置であって、１つ以上の各ＭＡＣ送信機には、
タイミング依存データを受信し、また、１つ以上の他のネットワークの１つを介して前記各ＭＡＣ送信機が接続される１つ以上のクライアントデバイスの１つによって要求されない番組をフィルタ処理する第１ＰＩＤフィルタと、
フィルタ処理に起因するタイミングを調整し、また、追加タイミング情報を追加して１つ以上の他のネットワークの前記１つによってもたらされた待ち時間及びジッタを調整するタイミング回路と、
１つ以上の他のネットワークの１つの要求事項を満足するパケット又はフレームを生成するパケット組立器と、
プロセッサに接続され、プロセッサからインターネット・プロトコル・パケットを受信するデータインターフェイスと、
パケット組立器及びデータインターフェイスに接続され、プロセッサからのインターネット・プロトコル・パケット及びタイミング依存データの双方に対して、１つ以上の他のネットワークの１つへのアクセスをスケジュール化するスケジューラと、
が含まれる装置。
【請求項２６】
１つ以上のクライアントデバイスに対して、１つ以上の他のネットワークを介して、インターネット・プロトコル・パケット上の音声と共に第１ネットワークからのタイミング依存データを送信するための装置であって、
電話デバイスに接続するための１つ以上の電話ポートを有し、インターネットプロトコルデータパケット上で音声を出力するメディア・ターミナル・アダプタと、
第１ネットワークに接続され、また、メディア・ターミナル・アダプタに接続され、メディア・ターミナル・アダプタからインターネット・プロトコル・パケット上の音声を受信し、タイミング依存データのタイミング関係を維持し、１つ以上の他のネットワークを介した１つ以上のクライアントデバイスに対するタイミング依存データ並びにインターネット・プロトコル・パケット上での音声の送信をスケジュール化する映像ブリッジと、
が含まれる装置。
【請求項２７】
請求項２６に記載の装置であって、映像ブリッジには、
タイミング依存データを出力するＭＡＣ受信機と、
１つ以上の各クライアントデバイスに対して１つの１つ以上のＭＡＣ送信機であって、各ＭＡＣ送信機は、タイミング依存データを受信し、また、１つ以上の他のネットワークを介した送信に適したフォーマットにタイミング依存データを変換し、メディア・ターミナル・アダプタに接続されインターネット・プロトコル・パケット上の音声を受信するデータポートを有する前記ＭＡＣ送信機と、
が含まれる装置。
【請求項２８】
請求項２７に記載の装置であって、１つ以上の各ＭＡＣ送信機には、更に、
タイミング依存データを受信し、また、１つ以上の他のネットワークの１つを介して前記各ＭＡＣ送信機が接続される１つ以上のクライアントデバイスの１つによって要求されない番組をフィルタ処理するＰＩＤフィルタと、
フィルタ処理に起因するタイミングを調整し、また、追加タイミング情報を追加して１つ以上の他のネットワークの前記１つによってもたらされた待ち時間及びジッタを調整するタイミング回路と、
１つ以上の他のネットワークの前記１つの要求事項を満足するパケット又はフレームを生成するパケット組立器と、
メディア・ターミナル・アダプタに接続され、プロセッサからインターネット・プロトコル・パケット上の音声を受信するデータインターフェイスと、
パケット組立器及びデータインターフェイスに接続され、メディア・ターミナル・アダプタからのインターネット・プロトコル・パケット上の音声、及びタイミング依存データの双方に対して、１つ以上の他のネットワークの前記１つへのアクセスをスケジュール化するスケジューラと、
が含まれる装置。
【発明の詳細な説明】
【技術分野】
【０００１】
本出願は、本発明者が２００２年８月１日出願した米国仮特許出願第６０／４００，１８６号に対する優先権を主張するものである。
本発明は、コンピュータネットワーク上で情報を配信する方法及び装置に関し、特に、ホーム有線又は無線ネットワークを含むコンピュータネットワーク上で映像データ等の情報を配信するための方法及び装置に関する。
【背景技術】
【０００２】
数多くのホームユーザが、家庭でネットワーク（有線及び無線双方）を築き、多数のコンピュータと他のデバイスを共にリンクしつつある。通常、これらのホームネットワークは、インターネットプロトコル（ＩＰ）ベースのネットワークである。更に、ホームユーザは、デジタル加入者接続サービス、ケーブルモデムサービス又はいずれか他のタイプの高速データサービス等の高速すなわち広帯域接続を介して、インターネットに接続されることが多い。
【０００３】
ケーブル又は他の媒体を介した高速インターネットアクセス又はデジタルテレビの増加に伴い、ユーザは、自分のホームネットワークを介して、映像又は他のタイミング依存データを送信したいと望むであろう。しかしながら、映像データは、ＭＰＥＧフォーマットで送信されることが多く、これは、高品質映像に特有なタイミングの問題点のために必ずしもＩＰネットワークに適合していない。
【発明の開示】
【発明が解決しようとする課題】
【０００４】
従って、本発明は、ＩＰトラッフィクを同様に搬送しているネットワークを介して、家庭において放送品質映像（又は同様なタイミング依存データ）を配信するための方法及び装置を開発する問題に関するものである。
【課題を解決するための手段】
【０００５】
本発明は、とりわけ、非ＩＰ映像トラッフィクをＩＰトラッフィクと連続的に統合するための方法及び装置を提供することによって、これらの及び他の問題を解決する。更に、本発明は、例えば、ＭＰＥＧタイプのトラッフィク等のタイミング依存トラッフィクとＩＰトラッフィク双方の混合トラッフィクのネットワークを生成するための方法及び装置を提供する。
【０００６】
本発明の１つの側面によれば、インターネット・プロトコル・トラッフィクを同様に搬送しているネットワークを介して、タイミング依存データを送信するための方法の実施例には、スケジューラに対するメディアアクセス制御層全体におけるタイミング依存データのタイミング関係を維持しつつ、メディアアクセス制御層にタイミング依存データを直接送信する段階が含まれ、スケジューラは、タイミング依存データ及びインターネット・プロトコル・トラッフィク双方の送信をスケジュール化することによって、ネットワークに接続されたクライアントでの受信時、タイミング依存データのタイミングを確実に適切なものにする。
【０００７】
本発明の他の側面によれば、タイミング依存データには、ＭＰＥＧ映像データストリーム、同時映像データを含む１３９４トラッフィク、又は、パケット間のタイミング関係が維持されなければならない他のデータを含み得る。
【０００８】
本発明の更に他の側面によれば、ネットワークには、無線ネットワーク、ホーム無線ネットワーク、有線ネットワーク、又はホーム有線ネットワーク、又は他の同様なネットワークを含み得る。
【０００９】
本発明の更に他の側面によれば、第１ネットワークからタイミング依存データを受信し、１つ以上の他のネットワークを介して１つ以上のクライアントデバイスにタイミング依存データを送信する装置の実施例は、映像ブリッジを用いる。映像ブリッジは、第１ネットワークに接続され、タイミング依存データを受信し、タイミング依存データのタイミング関係を維持し、１つ以上の他のネットワークを介したタイミング依存データの送信をスケジュール化する。
【００１０】
本発明の他の側面によれば、映像ブリッジの実施例には、第１物理層インターフェイスと、ＭＡＣ受信機と、１つ以上のＭＡＣ送信機と、１つ以上の第２物理層インターフェイスと、が含まれる。第１物理層インターフェイスは、第１ネットワークに接続する。ＭＡＣ受信機は、第１物理層インターフェイスに接続し、タイミング依存データを出力する。１つ以上の各クライアントデバイスに対して１つのＭＡＣ送信機が存在する。各ＭＡＣ送信機は、ＭＡＣ受信機に接続され、タイミング依存データを受信し、また、１つ以上の他のネットワークの１つを介した送信に適したフォーマットにタイミング依存データを変換する。１つ以上の各ＭＡＣ送信機に対して１つの第２物理層インターフェイスが存在する。各第２物理層インターフェイスは、１つ以上のＭＡＣ送信機の１つに接続され、また、１つ以上の他のネットワークの１つに接続される。
【００１１】
本発明の更に他の側面によれば、１つ以上の各ＭＡＣ送信機の実施例には、以下のものが含まれる。即ち、ＰＩＤフィルタ、タイミング回路、パケット組立器、スケジューラ、及び待ち行列が含まれる。タイミング回路は、あらゆるフィルタ処理に起因するタイミングを調整し、また、追加タイミング情報を追加して１つ以上の他のネットワークの１つによってもたらされた待ち時間及びジッタを調整する。パケット組立器は、タイミング回路に接続され、１つ以上の他のネットワークの１つの要求事項を満足するパケット又はフレームを生成する。スケジューラは、パケット組立器に接続され、１つ以上の他のネットワークの１つへのアクセスをスケジュール化する。ＰＩＤフィルタは、タイミング依存データを受信し、また、１つ以上のクライアントデバイスの１つによって要求されない番組をフィルタ処理し、フィルタ処理済みタイミング依存データをタイミング回路に出力する。待ち行列は、スケジューラに接続され、１つ以上の他のネットワークの１つを介した送信の前にパケット又はフレームをバッファ処理する。
【００１２】
本発明の更に他の側面によれば、本装置は、１つ以上の各クライアントデバイスに対して１つずつ、１つ以上の追加ＭＡＣ受信機を含み得る。１つ以上の各追加ＭＡＣ受信機は、１つ以上の他のネットワークの１つと１つ以上のクライアントデバイスの１つとの間に配置される。各追加ＭＡＣ受信機の実施例には、パケット分解器と、待ち行列と、タイミング回路と、が含まれる。パケット分解器は、着信パケットをタイミング依存データに適したフォーマットに変換する。タイミング回路は、パケット分解器に接続され、１つ以上のＭＡＣ送信機のタイミング回路によって付加されたビットに基づき、タイミング依存データを回復する。待ち行列は、パケット分解器に接続され、１つ以上の他のネットワークの１つからの着信パケットをバッファ処理した後、着信パケットをパケット分解器に受け渡す。
【００１３】
本発明の更に他の側面によれば、１つ以上のクライアントデバイスに対して、１つ以上の他のネットワークを介して、第１ネットワークからの第１タイミング依存データ及び第２ネットワークからの第２タイミング依存データを送信するための装置の実施例は、映像
ブリッジを用いる。映像ブリッジは、第１及び第２ネットワークに接続され、第１及び第２ネットワークから第１及び第２タイミング依存データを受信し、第１及び第２タイミング依存データのタイミング関係を維持し、１つ以上の各クライアントデバイスに対する１つ以上の他のネットワークを介したタイミング依存データの送信をスケジュール化する。
【００１４】
本発明の更に他の側面によれば、映像ブリッジの実施例は、２つの物理層インターフェイス、２つのＭＡＣ受信機、マルチプレクサ、及び１つ以上のＭＡＣ送信機を含む。この実施例において、マルチプレクサは、第１及び第２ＭＡＣ受信機に接続され、第１及び第２タイミング依存データから単一データストリームを生成し、これは、１つ以上のＭＡＣ送信機に出力され、これらは、各々単一データストリームを受信する。
【００１５】
本発明の更に他の側面によれば、映像ブリッジの実施例は、２つの物理層インターフェイス、２つのＭＡＣ受信機、及び１つ以上のＭＡＣ送信機を含む。この実施例において、１つ以上の各ＭＡＣ送信機は、第１タイミング依存データ及び第２タイミング依存データを受信し、第１及び第２タイミング依存データを１つ以上の他のネットワークを介した送信に適したフォーマットに変換し、前記１つ以上の各クライアントデバイスによって選択されなかった番組をフィルタ処理し、１つ以上の他のネットワークを介したフィルタ処理された１及び第２タイミング依存データの送信をスケジュール化する。
【００１６】
本発明の更に他の側面によれば、ＭＡＣ送信機の実施例は、２つのＰＩＤフィルタ、２つのタイミング回路、２つのパケット組立器、単一のスケジューラ、及び単一の待ち行列を含む。単一のスケジューラは、２つのパケット組立器双方に接続され、１つ以上の他のネットワークの１つへのアクセスをスケジュール化する。
【００１７】
本発明の更に他の側面によれば、１つ以上のクライアントデバイスに対して、１つ以上の他のネットワークを介して、第１ネットワークからのタイミング依存データを送信するための装置の実施例は、映像ブリッジ及びテレビを用いる。映像ブリッジは、第１ネットワークに接続され、タイミング依存データを受信し、タイミング依存データのタイミング関係を維持し、１つ以上の他のネットワークを介したタイミング依存データの送信をスケジュール化し、テレビ信号を出力する。テレビは、映像ブリッジに接続され、映像ブリッジからテレビ信号を受信する。この場合、映像ブリッジはデコーダを含み、デコーダは、ＭＡＣ受信機及びテレビに接続され、タイミング依存データをテレビ信号に変換する。
【００１８】
本発明の更に他の側面によれば、１つ以上のクライアントデバイスに対して、１つ以上の他のネットワークを介して、インターネット・プロトコル・パケットと共に第１ネットワークからのタイミング依存データを送信するための装置の実施例は、プロセッサ及び映像ブリッジを含む。プロセッサは、インターネットプロトコルデータパケットを出力する。映像ブリッジは、第１ネットワーク及びプロセッサに接続され、タイミング依存データを受信し、タイミング依存データのタイミング関係を維持し、１つ以上の他のネットワークを介した１つ以上のクライアントデバイスに対するタイミング依存データ並びにインターネット・プロトコル・パケットの送信をスケジュール化する。この場合、少なくとも１つのＭＡＣ送信機には、プロセッサに接続され、インターネット・プロトコル・パケットを受信するデータポートが含まれる。データインターフェイスは、タイミング回路と並列にスケジューラに接続され、スケジューラは、プロセッサからのインターネット・プロトコル・パケット、及びタイミング依存データの双方に対して、１つ以上の他のネットワークの１つへのアクセスをスケジュール化し得る。
【００１９】
本発明の更に他の側面によれば、１つ以上のクライアントデバイスに対して、１つ以上の他のネットワークを介して、インターネット・プロトコル・パケット上の音声と共に第１ネットワークからのタイミング依存データを送信するための装置の実施例は、メディア
・ターミナル・アダプタ及び映像ブリッジを含む。メディア・ターミナル・アダプタは、電話デバイスに接続するための１つ以上の電話ポートを有し、インターネット・プロトコル・パケット上で音声を出力する。映像ブリッジは、第１ネットワーク及びメディア・ターミナル・アダプタに接続され、タイミング依存データを受信し、メディア・ターミナル・アダプタからインターネット・プロトコル・パケット上の音声を受信し、タイミング依存データのタイミング関係を維持し、１つ以上の他のネットワークを介した１つ以上のクライアントデバイスに対するタイミング依存データ並びにインターネット・プロトコル・パケット上の音声の送信をスケジュール化する。この場合、少なくとも１つのＭＡＣ送信機には、プロセッサに接続され、インターネット・プロトコル・パケット上の音声を受信するデータポートが含まれる。データインターフェイスは、タイミング回路と並列にスケジューラに接続され、スケジューラは、メディア・ターミナル・アダプタからのインターネット・プロトコル・パケット上の音声及びタイミング依存データの双方に対して、１つ以上の他のネットワークの１つへのアクセスをスケジュール化する。
【発明を実施するための最良の形態】
【００２０】
本発明の他の側面は、以下の図面と共に開示内容を検討すると、当業者には明らかになるであろう。
本明細書において「１つの実施形態」又は「一実施形態」と言及した場合はいずれも、その実施形態に関連して述べた特定の特徴、構造、又は特性が、本発明の少なくとも１つの実施形態に含まれることを意味することに敢えて留意されたい。明細書の様々な箇所において句「一実施形態において」が出現した場合、必ずしも全て同じ実施形態について言及するものではない。
【００２１】
はじめに
家庭において高品質放送映像のネットワーク化を成功させるには、特別な配慮が必要である。一般的に、ＩＰに変換すると、連続するパケット間のタイミング関係が取り消されるため、ＭＰＥＧストリームをパケットに変換し、また、インターネットプロトコル（ＩＰ）を用いても、最も初歩的な用途を除いて、充分ではない。本発明の１つの側面によれば、家庭において高品質放送映像をネットワーク化するための実施例は、ＭＰＥＧタイミング制約を維持するために、メディアアクセス制御（ＭＡＣ）層にＭＰＥＧストリームを直接配信し、ＭＰＥＧ特有の機能をＭＡＣに付加する。そして、共通のスケジューラを用いて、ＭＰＥＧフレーム又はパケット及びＩＰパケット双方に対してネットワークへのアクセスをスケジュール化することによって、ネットワークに接続されたクライアントデバイスでの受信時、タイミング関係が確実に維持される。
【００２２】
一実施形態は、全てのＭＰＥＧ映像に対して、家庭において単一のサブネットワークを用いる。しかしながら、他の実施形態では、ＭＰＥＧ映像ストリームは、多数のサブネットワークを通して送信し得る。
【００２３】
本明細書におけるＭＰＥＧが処理されるのと同様に、同時映像情報を含む１３９４トラッフィクを処理し得ることにも留意されたい。従って、用語”タイミング依存データ”には、他の同様なデータと同じ様に、同時映像情報を含む少なくとも１３９４トラッフィクが含まれるものと理解されたい。
【００２４】
基本的な映像ネットワーク化
最も基本的な映像ネットワーク化のシナリオは、再生デバイスがセットトップボックスとは異なるサブネット上にある場合である。例えば、セットトップボックス１１は、家庭においてＭＰＥＧを配信するための同軸又はハイブリッドファイバ同軸ケーブルに接続し得るが、存在するのは無線のテレビ１３の１台である。図１は、この場合のネットワーク実装例１０を示す。セットトップボックスとテレビとの間の信号は、パケット／フレーム
ベースのネットワーク信号である。言い換えると、これらの信号は、データリンク層信号である。この場合、同軸ネットワークから無線ネットワークへ映像トラッフィクをブリッジするために映像ブリッジ１２が用いられる。無線ネットワークは、例えば、８０２．１１（ａ）又は８０２．１１（ｂ）に基づき動作するホームベースの無線ネットワークであってよい。
【００２５】
図２に示すものは、映像ブリッジ１２の実施例２０の上位ブロック図である。本質的に、同軸ネットワーク（ＭＡＣ−Ｒ２２）上のメディアアクセス制御装置（ＭＡＣ）２２からのＭＰＥＧトランスポートストリーム出力は、無線ネットワーク（ＭＡＣ−Ｔ２３）におけるＭＡＣ２３上のＭＰＥＧトランスポートストリーム入力に接続され、これはまた、無線ネットワーク上の物理層インターフェイス２４に接続される。物理層インターフェイスは、セットトップボックスからの各デジタル出力に対して専用である。一般的に、この物理層インターフェイスは、インターフェイスの電気的及び機械的側面、例えば、ＤＶＩケーブルコネクタ又は他の同様なコネクタ等のコネクタを含み得る。映像ブリッジの出力側において、物理層インターフェイスは、無線ネットワーク、例えば、８０２．１１（ａ）又は８０２．１１（ｂ）ホームネットワークの無線送信機に接続するコネクタ及び何らかの必要な電気的変換器である。有線ネットワークの場合、このコネクタは、そのネットワーク専用である。
【００２６】
通常ネットワークに備えられた数多くの機能をＭＡＣに移すことによって、本発明の映像ブリッジ１２の設計は、相対的に簡単なままであり、ホームベースの実装例にとって、この設計は実用的なものである。ＭＡＣ間に多重分離ブロック（図示しないが、図７の要素７５を参照）を配置して、あらゆるＰＩＤをフィルタ処理した後、ＭＡＣに送り得る。また、ＰＩＤフィルタ処理は、ＭＡＣにおいても実行し得る。
【００２７】
図３は、本発明の更に他の側面に基づく図２の映像ブリッジ１２に用いられるＭＡＣ−Ｔ２３の詳細についての実施例３０を示す。第１ブロックは、ＰＩＤフィルタ３１であり、これによって無線ネットワーク上のクライアントによって要求されないトランスポートストリームの番組がフィルタ処理される。ＰＩＤフィルタは、ＭＰＥＧストリームからの１つ以上の特定のパケット（即ち、ＰＩＤ）のフィルタ処理を行う。通常のＭＰＥＧストリームは、約２７ＭＢＰＳであり、多数の番組を含む。ユーザが観たい特定の番組をフィルタ処理すると、ビットの数が大幅に減少し、これによってホームネットワーク上の帯域幅が節約される。
【００２８】
次のブロックは、フィルタ処理の結果としてＭＰＥＧタイミングを調整し、また、追加タイミング情報を付加するタイミング回路３２である。この追加タイミング情報は、無線ネットワークによってもたらされた待ち時間及びジッタを調整するために受信機によって用いられる。このタイミング回路３２は、パケットの受信者が、ＭＰＥＧストリームを元に戻せるように、追加ビットをパケットに付加する。送信側では、ＭＰＥＧタイミング情報は、ホームネットワークに関する追加タイミング情報で増えることがある。受信側では、この情報はＭＰＥＧタイミング情報と同期がとられ、発生した可能性のあるタイミングのあらゆるずれが回復される。
【００２９】
次のブロックは、基になるネットワークの要求事項を満たすパケット又はフレームを生成するパケット組立器３３である。一般的に、ホームネットワークそれ自体は、それ自体のパケットフォーマットを有する。本パケット組立器は、ＭＰＥＧフレームを採用し、それらをローカルホームネットワークに適するフレームに置き換える。追加ヘッダ情報を含んでもよい。
【００３０】
次のブロックは、ネットワークへのアクセスをスケジュール化するスケジューラ３４で
ある。多数のユーザがネットワークへのアクセスを試みる場合、スケジューラ３４は更に重要になる。本スケジューラは、ＭＰＥＧヘッダ及びホームネットワーキングヘッダ中の情報を用いて、いつ各フレームを送信すべきか決定する。ＭＰＥＧストリームが１つを越える場合、スケジューラによって、各フレームが適切なタイミングで確実に送られ、これによってクライアントデバイスに至る全過程でＭＰＥＧストリームのタイミング依存関係が維持される。データ及び音声トラッフィクの場合、スケジューラは、データインターフェイスを介して受信される追加ＱｏＳ信号情報を用いて、同じネットワーク上の映像、音声及びデータを適切にスケジュール化する（例えば、図１１乃至１４参照）。
【００３１】
最後のブロックは、待ち行列３５であり、ＭＡＣの最後の段である。本待ち行列は、ＭＡＣが、ネットワーク全体でパケットの送受信を行う際のＭＡＣ用のバッファ段である。
ＭＡＣ−Ｒ側（図示せず）には、待ち行列ブロックが存在し、それに続きパケット分解器ブロックがあり、またそれに続きタイミング回路があり、これによって、ＭＡＣ−Ｔタイミング回路のタイミング回路によって付加されたビットに基づき、ＭＰＥＧストリームが元に戻される。
【００３２】
２つのクライアントデバイスのネットワーク化
次の実施形態は、２つのクライアントデバイスがあり、これらのクライアントデバイスが異なるリモートサブネットワーク上にある場合に関する。一方のサブネットワークは、無線であって、他方は、異なる同軸ネットワークであってよい。この場合、それら各々に別々の映像ストリームを送る必要がある。図４は、その内の一方が無線接続４４を介して接続され、その内の他方４３が異なる同軸ネットワークを介してセットトップボックス４１に接続される２台のテレビ４３、４４をリンクするための本発明の更に他の側面に基づく装置４０の実施例を示す。
【００３３】
この場合、映像ブリッジ４２は、ＭＰＥＧトランスポートストリームを双方のサブネットワークに供給する。図５は、本発明の更に他の側面に基づく図４の装置に用いられる映像ブリッジの実施例５０を示す。基本的に、同じトランスポートストリーム（即ち、物理層インターフェイス５１及びＭＡＣ５２からの出力）が、各サブネットワークのＭＡＣ５３、５４に供給され、これらには、物理層インターフェイス５５、５６が接続される。また再度、ＰＩＤフィルタを用いることができ、あるいは、ＭＡＣがＰＩＤフィルタ処理を行い得る。更に、この同じ手法を用いて、例えば、４、８、１６等、任意の数のサブネットワークを付加し得る。
【００３４】
この場合、ＭＰＥＧストリームは、単純に、存在するサブネットワークと同じ数の同様なストリームに分割される。
２つのサーバのネットワーク化
次の実施形態は、異なるサブネットワーク上の２つ以上のクライアントのいずれかに供給し得る映像を供給する２つのサーバが存在する場合に関する。図６は、異なるサブネットワーク上の２つ以上のクライアント（６４、６５）のいずれかに供給し得る映像を映像ブリッジ６３を介して供給する２つのサーバ６１、６２が存在する場合の本発明の更に他の側面に基づく装置６０の実施例を示す。全てのサブネットワークを有線として示すが、１つ以上が無線であってよい。
【００３５】
これらのネットワークを組み合わせる幾つかの方法がある。図７は、本発明の更に他の側面に基づく図６の装置に用いられる映像ブリッジ６３の実施例７０を示す。本実施形態７０は、各側で、２つのＭＡＣ（７３、７６及び７４、７７）並びに２つの物理インターフェイス（７１、７８及び７２、７９）を用いる。前と同様に、ＰＩＤフィルタを用いることができ、あるいは、ＭＡＣがＰＩＤフィルタ処理を行い得る。本実施形態７０は、着信ネットワークと発信ネットワークとの間にマルチプレクサ７５を用いる。これによって
、双方のサブネットワークは、双方の着信ストリームからの全ての番組を有する単一のストリームを得ることができる。
【００３６】
図８は、本発明の更に他の側面に基づく図６の装置に用いられる映像ブリッジ６３の他の実施例８０を示す。本実施形態８０は、発信ＭＡＣ８３、８４上の２つのトランスポートストリーム入力を用いる。図７と同様に、各々の側に、２つのＭＡＣ（８３、８６及び８４、８７）及び２つの物理インターフェイス（８１、８８及び８２、８９）が存在する。この場合、ＭＵＸ機能は必要でない。ここまで示したことを拡張し、任意の数の入力及び任意の数の出力をサポートして、極めて柔軟なネットワーク化機能を提供し得る。
【００３７】
図９は、本発明の更に他の側面に基づく図７乃至８の映像ブリッジ７０、８０に用いられるトランスポート側のＭＡＣの詳細についての実施例９０を示す。本ＭＡＣは、単一入力の実施形態と極めてよく似ており、その機能の中には複製されたものがある。ＰＩＤフィルタ９１、９２、タイミング回路９３、９４、及びパケット組立器９５、９６が、各チャネルに１つ複製されている。待ち行列９９を介した媒体上の各ストリームからのパケットをスケジュール化する単一のスケジューラ９８が存在する。本スケジューリング方式は、ハードウェアによりコード化（即ち、着順処理）でき、あるいは、スケジューラ９５は、ある方式で動的にプログラム化し得る。低優先度トラッフィクよりも先に高優先度トラッフィクにアクセス権を得させるために、ＭＡＣ９０が、媒体への２つ以上の待ち行列を用いることも可能である。
【００３８】
ネットワークの中央に位置するテレビ
図１０は、ネットワーキングデバイスと同じ場所に配置されたテレビ１０４が存在する場合の本発明の更に他の側面に基づく装置の実施例１００を示す。本実施形態において、ＴＶ１０４は、ネットワーキングデバイス（１つ以上）と同じ場所に配置されるため、ＴＶ出力は、ＭＰＥＧ番組の１つを落とす必要がある。図１０の実施形態は、単一のサーバのみを示すが、これは、多重サーバ構成に拡張し得る。
【００３９】
ケーブルホーム（ＣａｂｌｅＨｏｍｅ）管理
また、ＭＳＯがこのようなデバイスを管理して、それを行うためにケーブルホーム標準を用いたいと望む可能性がある。図１１は、如何にして本発明を拡張してケーブルホーム管理を付加し得るかについての実施例１１０を示す。追加の外部インターフェイスは不要である。ローカルプロセッサ１１９は、ＴＣＰ／ＩＰスタックを有し、管理アプリケーションを実行する。また、ダウンストリームＭＡＣ１１５、１１６もデータポートに接続されることに留意されたい。これによって、これらのネットワークの管理もまた同様に可能である。このデバイスは、ケーブルホームに準拠し得るが、映像インターフェイスは、いずれもＩＰベースではない。このことは、ケーブルホーム仕様に違反するものではない。何故ならば、ケーブルホーム仕様は、非ＩＰトラッフィクの存在を網羅しないためである。ＩＰベースのトラッフィクだけが、ケーブルホームに準拠しなければならない。前述した様に、入力側には、物理層インターフェイス１１及びＭＡＣ１１２が存在し、出力側には、デコーダ１１３、テレビ１１４、２つのＭＡＣ１１５、１１６、及び２つの物理層インターフェイス１１７、１１８が存在する。
【００４０】
図１２は、送信ＭＡＣ１１５、１１６の実施例１２０を示し、データ及びＭＰＥＧインターフェイス双方が更に詳細に示されている。ＭＰＥＧ経路は、上述したものと同じである（即ち、ＰＩＤフィルタ１２１、タイミング回路１２２、パケット組立器１２３、スケジューラ１２５及び待ち行列１２６）。データ経路１２４は、スケジューラ１２５へのＭＰＥＧ経路と並行である。スケジューリング方式は、ハードウェアによりコード化（即ち、着順処理）でき、あるいは、スケジューラ１２５は、ある方式で動的にプログラム化し得る。低優先度トラッフィクよりも先に高優先度トラッフィクにアクセス権を得させるた
めに、ＭＡＣが、媒体への２つ以上の待ち行列を用いることも可能である。
【００４１】
データインターフェイス
次の実施形態では、同様にケーブルホーム準拠インターフェイスであるデータインターフェイスが、ＩＰトラッフィクをサポートする際、このようなボックス上に提供される。図１３は、ケーブルホーム準拠インターフェイスであるデータインターフェイスを有する図１１の装置と同様な本発明の更に他の側面に基づく装置の実施例１３０を示す。基本的に、他のＭＡＣ１３７ａは、データ経路に取り付けられる。ＰＨＹは、任意のホームネットワーキングＰＨＹであってよく、これに対する拡張は、ブリッジを付加して任意の数のデータインターフェイスを提供することであってよい。同様に示すものは、映像を走らせているＭＡＣ１３７ｂ乃至ｃへのデータインターフェイスを駆動し、同じサブネットワーク上でデータと映像とを混合する機能である。
【００４２】
データ用の送信ＭＡＣ詳細ブロック図は、上記のケーブルホーム管理の説明と同じである。双方の場合、我々が扱うのはＩＰパケットである。
音声
ＭＴＡ機能をデバイスに付加することによって、このようなプロダクトに音声を付加することもまた可能である。図１４は、図１３の装置と同様な本発明の更に他の側面に基づく音声機能を有する装置の実施例１４０を示す。音声ポートは、ホームネットワーキングインターフェイスの１つを用い得るＰＯＴＳであってよい。メディア・ターミナル・アダプタ（ＭＴＡ）は、ＩＰ経由音声（ＶＯＩＰ）処理を実施する。
【００４３】
図１４中のＭＴＡは、ＰＯＴＳ入力（有線電話又はコードレス電話のいずれでもよい）を有し、ＭＴＡからの出力には、ＩＰパケットが含まれる。本質的に、ＭＴＡは、ＰＯＴＳ電話機に対してＶｏＩＰ端末として振る舞う。図１２において、ＭＴＡは、データインターフェイスブロックに入力として接続し得る。ＭＴＡの出力は、ＩＰパケットであり、これらは、データインターフェイスを介して他のＩＰパケットと同様に処理される。本発明によって、ＭＴＡからスケジューラへのＱｏＳ信号送信が可能である。これによって、スケジューラには、同じホームネットワーク上で同時映像トラッフィク及びＶｏＩＰトラッフィク双方を共にスケジュール化する機会が与えられる。
【００４４】
結論
非ＩＰベースの映像ネットワーキングは、ケーブルホーム及びパケットケーブル（ＰａｃｋｅｔＣａｂｌｅ）に準拠したホームネットワークに連続的に付加し得る。本特許出願は、とりわけ、これらのデバイスを如何にして構築し得るか、また、如何にして映像を多数のサブネット全体においてネットワーク化し得るか示す。
【００４５】
また、エンドユーザは、どのサービスがＩＰ上で実行されるか、また、どれが実行されないのかについて気付かないことに留意されたい。内部的には、トラッフィクタイプは、物理的に適切に経路選択される。非ＩＰ映像トラッフィクとＩＰトラッフィクとの混合は、完全で廉価な設計において対応し得る。
【００４６】
本明細書において様々な実施形態について例示説明したが、本発明の修正及び変更は、上記教示内容によって網羅されること、また、本発明の精神及び意図する範囲から逸脱することなく添付の請求項の範囲内にあることを認識されたい。例えば、様々な実施形態を無線又は有線インターフェイスで示したが、多くの場合、本発明から逸脱することなく、これらのインターフェイスは、それぞれ有線又は無線であってよい。更に、本明細書に述べたタイミング依存データの例には、ＭＰＥＧデータ、及び同時映像情報を含む１３９４トラッフィクが含まれるが、本明細書における本発明は、あらゆるデータに適用可能であり、この場合、連続パケット間のタイミング関係が維持されねばならず、あるいは、本質
的に重要である。更に、これらの例は、請求項によって網羅される本発明の修正及び変更を制限すると解釈すべきものではなく、単に可能な変形例を示すものである。
【図面の簡単な説明】
【００４７】
【図１】セットトップボックスが同軸ネットワークに接続され、無線リンクを介してセットトップボックスに接続された１台のテレビがある本発明の１つの側面に基づく装置の実施例を示す図。
【図２】本発明の他の側面に基づく図１の装置に用いられる映像ブリッジの実施例を示す図。
【図３】本発明の更に他の側面に基づく図２の映像ブリッジに用いられるＭＡＣ−Ｔの詳細についての実施例を示す図。
【図４】一方が無線であり、他方が異なる同軸ネットワーク上にある２台のテレビをリンクするための本発明の更に他の側面に基づく装置の実施例を示す図。
【図５】本発明の更に他の側面に基づく図４の装置に用いられる映像ブリッジの実施例を示す図。
【図６】異なるサブネットワーク上の２つ以上のクライアントのいずれかに供給し得る映像を提供する２つのサーバがある本発明の更に他の側面に基づく装置の実施例を示す図。
【図７】本発明の更に他の側面に基づく図６の装置に用いられる映像ブリッジの実施例を示す図。
【図８】本発明の更に他の側面に基づく図６の装置に用いられる映像ブリッジの他の実施例を示す図。
【図９】本発明の更に他の側面に基づく図７乃至８の映像ブリッジに用いられるトランスポート側におけるＭＡＣの詳細についての実施例を示す図。
【図１０】ネットワーキングデバイスと同じ場所に配置されたテレビがある本発明の更に他の側面に基づく装置の実施例を示す図。
【図１１】ケーブルホームが指定するものが一例であるネットワーク管理能力を付加するために拡張された図１０の装置と同様な装置の実施例を示す図。
【図１２】本発明の更に他の側面に基づく図１０乃至１１に示す装置に用いられる送信ＭＡＣの詳細についての実施例を示す図。
【図１３】ケーブルホーム準拠インターフェイスであるデータインターフェイスを有する図１１の装置と同様な本発明の更に他の側面に基づく装置の実施例を示す図。
【図１４】音声機能を有する図１３の装置と同様な本発明の更に他の側面に基づく装置の実施例を示す図。
【図１】
2005535238.tif 000003
【図２】
2005535238.tif 000004
【図３】
2005535238.tif 000005
【図４】
2005535238.tif 000006
【図５】
2005535238.tif 000007
【図６】
2005535238.tif 000008
【図７】
2005535238.tif 000009
【図８】
2005535238.tif 000010
【図９】
2005535238.tif 000011
【図１０】
2005535238.tif 000012
【図１１】
2005535238.tif 000013
【図１２】
2005535238.tif 000014
【図１３】
2005535238.tif 000015
【図１４】
2005535238.tif 000016
【国際調査報告】
2005535238.tif 000017